(57)【要約】【課題】レンズバリアの退避スペースをより省スペース化したレンズバリアユニットを提供することを目的とする。【解決手段】本発明にかかるレンズバリアユニットは、開口部２５０を有するバリアケース２０４と、１つの回動軸心を中心として回動可能に設けられた球面形状の複数のバリア２０２、２０３と、を備える。複数のバリア２０２、２０３は、開口部２５０を閉じる第１の状態と、開口部を開放する第２の状態とを移行可能であり、第２の状態において、複数のバリア２０２、２０３は、全てバリアケース２０４の下部に収納される。【選択図】図１１
2011118378.tif 000002
【特許請求の範囲】
【請求項１】
開口部を有するバリアケースと、
１つの回動軸心を中心として回動可能に設けられた球面形状の複数のバリアと、を備え、
複数のバリアは、開口部を閉じる第１の状態と、開口部を開放する第２の状態とにわたって移動可能であり、第２の状態において、複数のバリアは、全てバリアケースにおける開口部から１方向に外れた箇所に収納され、
前記複数のバリアは、前記第２の状態において、少なくとも一部が前記第１の状態よりも後方となる姿勢で収納されている
レンズバリアユニット。
【請求項２】
前記回動軸心が、バリアの球面形状をなす球の面から球の中心に向かうラインに沿って配設されている
請求項１記載のレンズバリアユニット。
【請求項３】
前記複数のバリアは、前記第２の状態において、前記バリアケースの下部に収納されている
請求項１記載のレンズバリアユニット。
【請求項４】
当該レンズバリアユニットは、開口部を閉じた第１の状態で、バリアの開口部に露出する箇所の中心が、バリアにより保護するレンズの光軸上にあり、かつ、バリアが前記レンズの前面にほぼ沿った形状となるように配設されている
請求項１記載のレンズバリアユニット。
【発明の詳細な説明】
【技術分野】
【０００１】
本発明は、レンズバリアユニットに関する。
【背景技術】
【０００２】
撮像用のレンズを保護するためにレンズ鏡筒の先端部などに、バリアをレンズの前方箇所で開閉自在に配設した構造は広く知られている。この種のバリアを有するレンズバリアユニット（バリア開閉支持装置）としては、一般に以下に述べる構造とされている。すなわち、バリアとして、平面形状の板状体を上下などに２分割し、上半部からなる上側のバリアと、下半部からなる下側のバリアとからなるものを用いている。そして、これらのバリアを、支持アームなどを有するバリア支持機構により互いに上下方向に出退自在に支持した構造とされている。なお、バリアを上下ではなくて、左右や略斜め方向に分割するものや、バリアの分割数を３以上としたものもある。
【０００３】
しかし、このような従来構造のレンズバリアユニットでは、バリアにより保護するレンズは表面が一般に球面形状であるにもかかわらず、バリアが平面形状である。したがって、レンズ表面の外周寄り箇所においてバリアとレンズの表面との間の離間距離が大きくなって大きな空間を生じてしまう。この結果、レンズバリアユニットが設けられるレンズ鏡筒として、容積が大きくなって小型化を阻害する要因となっていた。
【０００４】
また、前記従来のレンズバリアユニットでは、バリアが平面形状であるため、バリアにより開閉される開口部の真上箇所と真下箇所とにバリアを退避させるスペースが必要であった。この結果、開口部の真上箇所と真下箇所とを、他の機能部品の配設スペースとして有効活用したり、このスペースを削減して小型化を図ったりすることができなかった。
【０００５】
このような問題に対処するものとして、バリアを、平面形状ではなくて、レンズの表面に沿うような球面形状としたレンズ鏡筒が、引用文献１に開示されている。図１６に示すように、このレンズ鏡筒のバリア１１は、レンズ鏡筒の軸心（レンズの光軸と等しい）上の点を中心とする球面形状（特許文献１では部分球殻状と表記されている）で、上下に二分割の上半バリア部１２と下半バリア部１３とから構成されている。上半バリア部１２と下半バリア部１３とは、これらの両側部から後方に延びる２対のアーム部１４Ｌ、１４Ｒ、１５Ｌ、１５Ｒにより支持されている。そして、上半バリア部１２と下半バリア部１３とは、アーム部１４Ｌ、１４Ｒ、１５Ｌ、１５Ｒの後端部に設けられた２つの回動軸１６、１７を通る回動軸心１８を中心として、回動可能に配設されている。ここで、前記回動軸心１８は、レンズ鏡筒の軸心（レンズの光軸と等しい）と直交している。このため、上半バリア部１２と下半バリア部１３とは、回動軸心１８と上半バリア部１２（または下半バリア部１３）との間の距離を半径とし、回動軸心１８を中心とする、略円筒形状の移動経路内で、上下に開閉自在とされている。
【０００６】
このように、バリア１１を球面形状とすると、バリア１１とレンズとの間の離間距離がレンズの外周側でも中心側と変わらないように配設できるため、レンズ表面の外周側箇所とバリア１１との離間距離を小さくできる。これにより、レンズバリアユニットが設けられるレンズ鏡筒として、容積を小さめに抑えることができて、ある程度小型化できる。また、上半バリア部１２および下半バリア部１３の退避時の収納箇所が、閉状態の上半バリア部１２や下半バリア部１３よりも後方に位置する。これにより、閉状態の上半バリア部１２が位置する箇所の真上の領域や、閉状態の下半バリア部１３が位置する箇所の真下の領域を、他の機能部品の配設スペースなどとして有効活用したり、この領域のスペースをレンズバリアユニットやレンズ鏡筒の配設空間として削減したりすることができる。
【先行技術文献】
【特許文献】
【０００７】
【特許文献１】特開２００２−２５８１３３号公報
【発明の概要】
【発明が解決しようとする課題】
【０００８】
しかしながら、上記特許文献１に開示されているレンズ鏡筒は、バリアを開状態とする際に、バリア１１（１２、１３）を上方向と下方向との２方向に退避させる構造である。従って、バリア１１（１２、１３）を退避するためのスペースがレンズ鏡筒における上部と下部との２箇所に必要となる課題がある。
【０００９】
また、上記特許文献１に開示されているレンズ鏡筒によれば、上半バリア部１２および下半バリア部１３が、レンズ鏡筒の軸心上の、閉状態のバリア１１（１２、１３）やレンズよりも後方箇所において光軸に直交する水平な回動軸心１８を中心として回動する構造である。したがって、上半バリア部１２や下半バリア部１３が開閉する際の通過用空間や退避時の収納空間（移動軌跡）として、バリア１１の肉厚に加えて、バリア１１の前後に膨出する寸法にも対応する空間が必要となる。さらに、上半バリア部１２や下半バリア部１３を支持する２対のアーム部１４Ｌ、１４Ｒ、１５Ｌ、１５Ｒの回動スペースも必要となる。
【００１０】
本発明は、上記課題を解決するもので、バリアなどの退避スペースや移動軌跡のスペースをより省くことができるレンズバリアユニットを提供することを目的とする。
【課題を解決するための手段】
【００１１】
上記課題を解決するために、本発明にかかるレンズバリアユニットは、開口部を有するバリアケースと、１つの回動軸心を中心として回動可能に設けられた球面形状の複数のバリアと、を備え、複数のバリアは、開口部を閉じる第１の状態と、開口部を開放する第２の状態とにわたって移動可能であり、第２の状態において、複数のバリアは、全てバリアケースの開口部から一方向、例えば下方に外れた箇所に収納され、前記複数のバリアは、前記第２の状態において、少なくとも一部が前記第１の状態よりも後方となる姿勢で収納されていることを特徴とする。
【００１２】
この構成により、複数のバリアは、全てバリアケースの開口部から一方向に外れた箇所、例えば、バリアケースの下部に収納される。この結果、バリアが、バリアケースの開口部から二方向に外れた箇所、例えばバリアケースの上部と下部とに収納される場合と比較して、レンズバリアの退避スペースを小さくすることができる。また、前記複数のバリアが、前記第２の状態において、少なくとも一部が前記第１の状態よりも後方となる姿勢で収納されているので、開口部の真上箇所や真下箇所などを、他の機能部品の配設スペースとして有効活用したり、このスペースを削減して小型化を図ったりすることができる。
【００１３】
また、本発明のレンズバリアユニットは、前記回動軸心が、バリアの球面形状をなす球の面から球の中心に向かうラインに沿って配設されていることを特徴とする。
この構成によれば、球面形状のバリアが、バリアの球面形状をなす球の面に沿って移動することになる。したがって、バリアの退避スペースや移動軌跡のスペースを極めて小さくすることができる。また、回動軸部を、バリアに直接設けたり、バリアに貫通するようにバリアケースに設けたりすることができる。したがって、バリアを回動するためのアーム部などを設けなくて済み、前記アーム部を移動させるための空間が不要となる。これによっても、レンズバリアユニットのための必要空間を最小限に抑えることができる。
【００１４】
また、本発明のレンズバリアユニットの前記複数のバリアは、前記第２の状態において、前記バリアケースの下部に収納されていることを特徴とする。これにより、開口部の上方箇所や左右の箇所などを、他の機能部品の配設スペースとして有効活用したり、このスペースを削減して小型化を図ったりすることができる。
【００１５】
また、本発明のレンズバリアユニットは、開口部を閉じた第１の状態で、バリアの開口部に露出する箇所の中心が、バリアにより保護するレンズの光軸上にあり、かつ、バリアが前記レンズの前面にほぼ沿った形状となるように配設されていることを特徴とする。
【００１６】
この構成により、バリアとレンズとの間の離間距離がレンズの外周側でも中心側と変わらない姿勢で近接させて配設できる。したがって、開口部を閉じた第１の状態で、バリアとレンズとの間の空間を最も小さくできて、省スペース化を図ることができる。
【発明の効果】
【００１７】
本発明によれば、レンズバリアの退避スペースや移動軌跡のスペースをより省いたレンズバリアユニットを提供できる。
【図面の簡単な説明】
【００１８】
【図１】本発明の実施の形態に係るレンズバリアユニットが設けられているデジタルビデオカメラの全体斜視図
【図２】レンズバリアユニットの斜視図
【図３】レンズバリアユニットを分解して、斜め後方から見た状態で示す分解斜視図
【図４】レンズバリアユニットの前バリアを斜め後方から見た要部斜視図
【図５】レンズバリアユニットの後バリアの一部を斜め後方から見た要部斜視図
【図６】レンズバリアユニットのバリアピースを斜め後方から見た斜視図
【図７】レンズバリアユニットを分解して、斜め前方から見た状態で示す分解斜視図
【図８】レンズバリアユニットのバリアレバーを斜め前方から見た斜視図
【図９】レンズバリアユニットのバリアモーターユニットを斜め前方から見た斜視図
【図１０】レンズバリアユニットの前バリアと後バリアとが閉状態である場合の斜視図
【図１１】レンズバリアユニットの前バリアと後バリアとが開状態である場合の斜視図
【図１２】前バリアが後バリアにより回動される関係を示すための斜視図
【図１３】レンズバリアユニットにおける前バリアと後バリアと回動軸心との位置関係を概念的に示す図
【図１４】レンズバリアユニットが閉状態である場合の、デジタルビデオカメラのレンズ光軸を通る垂直面で切断した縦断面図
【図１５】レンズバリアユニットが開状態である場合の、デジタルビデオカメラのレンズ光軸を通る垂直面で切断した縦断面図
【図１６】従来のレンズ鏡筒のバリアおよびバリアの支持開閉機構を簡略的に示す斜視図
【発明を実施するための形態】
【００１９】
以下、本発明をデジタルビデオカメラに用いられるレンズバリアユニットに適用した例について図面を用いて説明する。
〔１．全体構成〕
本実施の形態にかかるデジタルビデオカメラ１００の全体構成について図１などを用いて説明する。図１は、本発明の実施の形態に係るレンズバリアユニットが設けられているデジタルビデオカメラ１００の全体斜視図、図１４、図１５はレンズバリアユニットの断面図である。図１、図１４、図１５に示すように、デジタルビデオカメラ１００は、装置本体１１０のレンズ鏡筒部１１１内にレンズ１０１を有する。また、デジタルビデオカメラ１００は、撮影時以外にレンズ１０１が損傷したり汚れたりすることを防止するため、レンズ１０１の前方に、開閉可能なレンズバリアユニット２００を有している。レンズバリアユニット２００は、撮影時には開口部２５０を開放する開状態（第２の状態、図１５参照）となり、非撮影時には開口部２５０を閉じる閉状態（第１の状態、図１、図１４等参照）となる。
【００２０】
〔２．レンズバリアユニットの構成〕
次に、レンズバリアユニット２００の構成について図２〜図９、図１３〜図１５を用いて説明する。ここで、図２は、レンズバリアユニット２００を示す斜視図、図３は、レンズバリアユニット２００を分解して、斜め後方から見た状態で示す分解斜視図、図４は、レンズバリアユニットの前バリアを斜め後方から見た要部斜視図、図５は、レンズバリアユニットの後バリアの一部を斜め後方から見た要部斜視図、図６は、レンズバリアユニットのバリアピースを斜め後方から見た斜視図である。また、図７は、レンズバリアユニットを分解して、斜め前方から見た状態で示す分解斜視図、図８は、レンズバリアユニットのバリアレバーを斜め前方から見た斜視図、図９は、レンズバリアユニットのバリアモーターユニットを斜め前方から見た斜視図である。また、図１３は、レンズバリアユニットにおける前バリアと後バリアと回動軸心との位置関係を概念的に示す図である。また、図１４は、レンズバリアユニットが閉状態である場合の、デジタルビデオカメラのレンズ光軸を通る垂直面で切断した縦断面図、図１５は、レンズバリアユニットが開状態である場合の、デジタルビデオカメラのレンズ光軸を通る垂直面で切断した縦断面図である。
【００２１】
レンズバリアユニット２００は、全体的構成としては、図２に示すような外観をしている。レンズバリアユニット２００は、図３および図７に示す複数の構成要素から構成されている。以下、レンズバリアユニット２００の各構成要素について詳細に説明する。なお、以下の説明における「前方」とは、図１４、図１５における紙面の左側となる方向を表し、「後方」とは、図１４、図１５における紙面の右側となる方向を表している。また、以下の説明における「左側」および「右側」は、図３に示すように後方から前方に向いた状態で、「左側」および「右側」となる方向を表している。
【００２２】
図３、図７など（図２〜図１５）に示すように、レンズバリアユニット２００は、前バリア２０２および後バリア２０３と、これらの前バリア２０２および後バリア２０３を保持する前バリアケース２０４および後バリアケース２０１と、フロントアングル２０８と、バリアモーターユニット２０９と、バリアピース２０６およびバリアレバー２０５などとを備えた構成とされている。ここで、前バリア２０２および後バリア２０３は、レンズ１０１（図１４、図１５参照）を保護するための球面形状のバリアが２分割され、レンズバリアユニット２００が閉状態である場合では前後に一部が重ねられて配置されている。前バリアケース２０４および後バリアケース２０１は、前バリア２０２および後バリア２０３を、それぞれ回動自在な状態で前後から挟持して保持している。フロントアングル２０８は、これらの構成要素（前バリア２０２、後バリア２０３、前バリアケース２０４、後バリアケース２０１）を、デジタルビデオカメラ１００の前面に配設されたマニュアルフォーカスリングユニット１０３に組み付ける。バリアモーターユニット２０９は、前バリア２０２および後バリア２０３を回動させて開閉させる駆動源としてのモーター２０９ａを有する（図９参照）。バリアピース２０６およびバリアレバー２０５は、モーター２０９ａからの駆動力を後バリア２０３に伝達させて回動させる。
【００２３】
前バリア２０２および後バリア２０３は、何れも、閉状態（第１の状態）において前方に膨らむ球面形状（詳しくは、球の外殻部分の一部を切り取ったような形状）とされている。また、図３〜図５に示すように、前バリア２０２および後バリア２０３には、閉状態で右側下端部となる箇所に、斜め後方に延びる回動軸部２０２ｅ、２０３ｄが形成されている。なお、図３、図７に示すように、マニュアルフォーカスリングユニット１０３、前バリアケース２０４、後バリアケース２０１には、レンズ１０１への光を通過させる開口部１０３ａ、２０４ａ、２０１ａが形成されている。そして、これらの開口部１０３ａ、２０４ａ、２０１ａで、レンズバリアユニット２００の開口部２５０（図１１、図１５参照）が構成されている。また、図１などにおける１０２は、デジタルビデオカメラ１００のレンズ鏡筒の上部に配設されたストロボ発光ユニットである。
【００２４】
図３に示すように、前バリアケース２０４は、その後面における開口部２０４ａの周囲および下部が球面形状とされている。また、図７に示すように、後バリアケース２０１においても、その前面における開口部２０１ａの周囲および下部が球面形状とされている。そして、図３、図７、図１０、図１１などに示すように、前バリアケース２０４の後面部と後バリアケース２０１の前面部とにより、前バリア２０２および後バリア２０３を、その回動軸部２０２ｅ、２０３ｄ（図４、図５参照）を中心として所定の角度だけ回動可能な姿勢で、前後から保持している。具体的には、前バリア２０２の回動軸部２０２ｅにおける斜め後方に突出する部分が、後バリア２０３の回動軸部２０３ｄ内に形成された挿通孔部２０３ｅに挿入されている。また、図３、図７に示すように、後バリアケース２０１には、後バリア２０３の回動軸部２０３ｄが挿通される回動軸孔部２０１ｄが形成されている。また、図３に示すように、前バリアケース２０４には、前バリア２０２の回動軸部２０２ｅにおける前方に膨出する前方膨出部２０２ｅ’（図１２参照）が嵌合する凹部２０４ｄが形成されている。そして、後バリアケース２０１の回動軸孔部２０１ｄに後バリア２０３の回動軸部２０３ｄが挿通され、かつ前バリアケース２０４の凹部２０４ｄに、前バリア２０２の回動軸部２０２ｅの前方膨出部２０２ｅ’が嵌め込まれた状態で、前バリア２０２および後バリア２０３が回動自在に保持されている。
【００２５】
また、図１２に示すように、後バリア２０３の前面における一端部（図１２に示す状態では下端部）には、前方に突出する状態で横方向に延びる駆動突条２０３ｆが形成されている。また、前バリア２０２には、後バリア２０３の駆動突条２０３ｆの各端部２０３ｆａ、２０３ｆｂに係合可能な２つの従動係合部２０２ｂ、２０２ｃが形成されている。そして、後バリア２０３が、前バリア２０２に対して所定角度よりも大きく回動した際には、後バリア２０３の駆動突条２０３ｆの端部２０３ｆａまたは端部２０３ｆｂが、前バリア２０２の従動係合部２０２ｂまたは従動係合部２０２ｃに当接する。これにより、後バリア２０３の回動に伴って、前バリア２０２も連動するよう構成されている。
【００２６】
ここで、図１３において概念的に示すように、前バリア２０２の回動軸部２０２ｅの回動軸心と、後バリア２０３の回動軸部２０３ｄの回動軸心とは一致している。そして、これらの回動軸心の延長部分が、後バリア２０３の球面形状部２０３ａに沿った球Ｂの中心０（この中心０は、前バリア２０２の球面形状部２０２ａに沿った球Ｂ’（図示せず）の中心０でもある）を通るように配設されている。そして、後バリア２０３および前バリア２０２が開閉する際に描く軌跡が、後バリア２０３および前バリア２０２の各球面形状部２０３ａ、２０２ａがなす球Ｂ、Ｂ’の外周面部分に沿うように、後バリア２０３および前バリア２０２が配設されている。なお、前バリア２０２の球面形状部２０２ａに沿った球Ｂ’とは、球Ｂと中心０が同じで、ほぼ後バリア２０３の球面形状部２０３ａの厚み分だけ半径が大きい球である。
【００２７】
また、前バリア２０２および後バリア２０３は、開口部２５０（図１５参照）を閉じた閉状態（第１の状態）では、これらの前バリア２０２の球面形状部２０２ａと後バリア２０３の球面形状部２０３ａとにより形成される球面形状部分の中心が、レンズ１０１の光軸Ｘ上に位置するように配設されている。しかも、前バリア２０２の球面形状部２０２ａと後バリア２０３の球面形状部２０３ａとがレンズ１０１の前面表面部にほぼ沿う形状となるように形成されている。また、図５に示すように、後バリア２０３の回動軸部２０３ｄには、外周に歯面が形成されてなるギア部２０３ｂが一体形成されている。
【００２８】
また、後バリアケース２０１は、その後面下部において、バリアレバー２０５を、レンズ１０１の光軸Ｘを回動軸として所定の角度だけ回動可能な状態で保持している。すなわち、図８に示すように、バリアレバー２０５は、前面の一部にギア部２０５ａを有する略円弧形状とされている。そして、バリアレバー２０５のギア部２０５ａが、後バリア２０３のギア部２０３ｂと常時噛み合った状態で、バリアレバー２０５は、後バリアケース２０１の後面下部に形成された円弧状凹部２０１ｂ（図３参照）において、周方向にスライド自在に嵌め込まれている。従って、バリアレバー２０５を回動させることにより、後バリア２０３は回動する。
【００２９】
図３、図７に示すように、バリアピース２０６は、バリアレバー２０５の後面側に配設されている。また、バリアレバー２０５とバリアピース２０６とは、バリアレバーバネ２０７を円弧状の姿勢で収納しながら、長さ方向に伸縮可能な状態で挟持している。そして、バリアピース２０６は、バリアレバーバネ２０７が伸縮する範囲内で、バリアレバー２０５の後面上をバリアレバー２０５の回動軸と同一の回動軸にて所定の角度だけ回動可能に配設されている。なお、図６に示すように、バリアピース２０６には位置検出リブ２０６ｃが形成されている。そして、所定位置までバリアピース２０６が回動されると、バリアモーターユニット２０９に設けられた位置検出センサ２０９ｃ（図９参照）が位置検出リブ２０６ｃを検出して、バリアモーターユニット２０９のモーター２０９ａの回転が止められるよう構成されている。
【００３０】
図３、図７において分解して示すように、フロントアングル２０８を、フロントアングル固定ビス２１１を用いて後バリアケース２０１に固定することによって、バリアレバー２０５、バリアピース２０６、及びバリアレバーバネ２０７は、一体化されたユニット状態となる。図６に示すように、バリアピース２０６には、後方に突出する１対の突起２０６ｆが形成されている。そして、このバリアピース２０６の突起２０６ｆは、バリアモーターユニット２０９のモーター２０９ａにより左右に駆動される駆動片２０９ｆ（図９参照）と噛み合う。
【００３１】
また、図３、図７において分解して示すように、前バリア２０２の前面側には前バリアケース２０４が配設されている。そして、前バリアケース２０４から後方に向けて挿通されるフロントケース固定ビス２１２によってフロントアングル２０８と前バリアケース２０４とを締結することにより、前バリア２０２と後バリア２０３とが後バリアケース２０１の回動軸孔部２０１ｄから逸脱しない状態で保持されている。さらに前バリアケース２０４の前面にはマニュアルフォーカスリングユニット１０３が配設されている。
【００３２】
〔３．レンズバリアユニットの動作〕
次に、レンズバリアユニット２００における前バリア２０２及び後バリア２０３の開閉動作を図１０〜図１５などを用いて説明する。図１０は、レンズバリアユニットの前バリアと後バリアとが閉状態である場合の斜視図、図１１は、レンズバリアユニットの前バリアと後バリアとが開状態である場合の斜視図である。図１２は、後バリアが前バリアを開閉駆動するメカニズムを説明するための図で、前バリアが後バリアによって回動される状態を示した斜視図である。
【００３３】
レンズバリアユニット２００が閉状態（第１の状態）のとき、前バリア２０２と後バリア２０３とは、図１０に示すように、前バリア２０２が開口部２０４ａの略左側を閉鎖し、後バリア２０３が開口部２０４ａの略右側を閉鎖する状態で保持されている。
【００３４】
レンズバリアユニット２００を開状態（第２の状態）にするために、バリアモーターユニット２０９のモーター２０９ａを動作させて、内部の駆動片２０９ｆを所定の方向に移動させる（図９参照）。すると、この駆動片２０９ｆに噛み合うバリアピース２０６の突起２０６ｆ（図６参照）を介して、モーター２０９ａの力（以下、駆動力と称す）がバリアピース２０６に伝達される。そして、バリアレバーバネ２０７を介してバリアレバー２０５がバリアピース２０６と同じ方向に回動する。これにより、さらにバリアレバー２０５のギア部２０５ａと後バリア２０３のギア部２０３ｂとの噛み合い部分を介して、前記駆動力が後バリア２０３に伝達され、後バリア２０３が開き方向に回動する。後ろバリア２０３が所定の角度だけ回動すると、後バリア２０３の駆動突起２０３ｆが前バリア２０２の従動係合部２０２ｂに当接して、前記駆動力が前バリア２０２にも伝達され、前バリア２０２が開き方向に回動する。前バリア２０２および後バリア２０３の開動作を伴わせたバリアレバー２０５が所定の回動角度に達すると、バリアピース２０６の位置検出リブ２０６ｃがバリアモーターユニット２０９に設けられた位置検出センサ２０９ｃの読み取り位置まで達する。そして、これにより、バリアモーターユニット２０９のモーター２０９ａの回転が止められる。
【００３５】
このとき、バリアモーターユニット２０９の駆動片２０９ｆの移動量とバリアレバー２０５の移動量とが完全に一致しない場合、バリアレバーバネ２０７の伸縮により、その差分が吸収される。これにより、バリアモーターユニット２０９には過大な負荷がかからない。
【００３６】
レンズバリアユニット２００の前バリア２０２および後バリア２０３が完全に開状態になると、図１１に示すように、前バリア２０２、後バリア２０３とも、前バリアケース２０４、後バリアケース２０１の下部における、レンズ１０１の撮像範囲よりも下側、かつレンズ１０１の前端部よりも後側に収納される。なお、前バリア２０２および後バリア２０３の閉動作は上記開動作の逆の手順で動作、制御される。
【００３７】
〔４．バリアの収納位置〕
次に、前バリア２０２と後バリア２０３との収納位置（退避位置）について図１４、図１５を参照しながら説明する。上記したように、図１４は、レンズバリアユニットが閉状態（第１の状態）である場合の、デジタルビデオカメラのレンズ光軸を通る垂直面で切断した縦断面図、図１５は、レンズバリアユニットが開状態（第２の状態）である場合の、デジタルビデオカメラのレンズ光軸を通る垂直面で切断した縦断面図である。
【００３８】
図１５に示すように、前バリア２０２と後バリア２０３とは、開状態になると、レンズ１０１の撮像範囲よりも下側、かつレンズ１０１の前端部よりも後側に収納される。すなわち、開状態（開口部２５０を開放する第２の状態）では、前記バリアケースとしての前バリアケース２０４および後バリアケース２０１の下部で、閉状態（開口部２５０を閉じる第１の状態）よりも後方となる姿勢で収納される。これにより、レンズ１０１の撮像範囲より上方、及びレンズ１０１の外周前方に空間ができる。この空間を利用して、デジタルビデオカメラ１００は、前記空間に、ストロボ発光ユニット１０２やマニュアルフォーカスリングユニット１０３などを配置している。
【００３９】
すなわち、本発明では、開状態において、前バリア２０２と後バリア２０３とが、前バリアケース２０４、後バリアケース２０１の下部のみに収納されるので、前バリア２０２と後バリア２０３とが、バリアケースの開口部から上方と下方とに分けられて収納される場合と比較して、前バリア２０２と後バリア２０３との退避スペースを小さくできる。したがって、レンズ鏡筒部１１１を大型化しなくても、レンズ鏡筒部１１１におけるバリアユニット２００の上方箇所に、ストロボ発光ユニット１０２を配設することができる。
【００４０】
しかも、前バリア２０２および後バリア２０３の回動軸部２０２ｅ、２０３ｄの回転軸心が、前バリア２０２および後バリア２０３の球面形状部２０２ａ、２０３ａから、球Ｂの中心Ｏに向かうライン上に配設されている。この構成により、開閉時に前バリア２０２および後バリア２０３が、これらの球面形状部２０２ａ、２０３ａをなす球の面に沿って移動することになる。これにより、前バリア２０２および後バリア２０３の移動軌跡となる領域や退避する際の収納スペースを極めて小さくすることができる。また、回動軸部２０２ｅ、２０３ｄを前バリア２０２および後バリア２０３の球面形状部２０２ａ、２０３ａに直接設けており、回動するためのアーム部などを要しない。この結果、前記アーム部を移動させるための空間が不要であり、これによっても、バリアユニット２００のための必要空間を最小限に抑えることができて、省スペース化を図ることができる。
【００４１】
なお、上記の実施の形態では、前バリア２０２および後バリア２０３を、前バリアケース２０４、後バリアケース２０１の下部のみに収納した場合を述べたが、これに限るものではない。例えば、前バリア２０２および後バリア２０３を、前バリアケース２０４、後バリアケース２０１の上部のみに収納するなどしてもよい。すなわち、前バリア２０２および後バリア２０３を、全て前バリアケース２０４、後バリアケース２０１における開口部から１方向に外れた箇所に収納させることで、省スペース化を図ることができる。
【００４２】
また、上記の実施の形態では、前バリア２０２および後バリア２０３を回動させる回動軸部２０２ｅ、２０３ｄを、前バリア２０２および後バリア２０３に形成した場合を述べたが、これに限るものではない。例えば、前バリア２０２および後バリア２０３を回動させる回動軸部を前バリアケース２０４や後バリアケース２０１に設けるとともに、この回動軸部に嵌合する孔部を前バリア２０２および後バリア２０３に形成してもよい。この構成によっても、前バリア２０２および後バリア２０３が、球面形状部をなす球の面に沿って回動する。
【００４３】
また、上記の実施の形態では、バリアケースを前バリアケース２０４と後バリアケース２０１との２つの部品で構成した場合を述べたが、これに限るものではない。例えば、１つの部品でバリアケースを構成し、このバリアケースの前面側または後面側の一方に設けた収納スペースに、前バリア２０２および後バリア２０３を収納するよう構成してもよい。
【００４４】
また、上記の実施の形態では、バリアとして、２枚のバリア（前バリア２０２および後バリア２０３）で構成する場合を述べたが、これに限るものではなく、バリアとして、３枚より多くの数のものを設けた場合でも同様の構成を適用可能である。
【産業上の利用可能性】
【００４５】
本発明のレンズバリアユニットは、デジタルビデオカメラ等の電子機器に適用できる。
【符号の説明】
【００４６】
１００    デジタルビデオカメラ
１０１    レンズ
１０２    ストロボ発光ユニット
１０３    マニュアルフォーカスリングユニット  ２００    レンズバリアユニット
２０１    後バリアケース
２０１ａ    開口部
２０１ｂ    円弧状凹部
２０１ｄ    回動軸孔部
２０２    前バリア
２０２ａ    球面形状部
２０２ｂ、２０２ｃ    従動係合部
２０２ｅ    回動軸部
２０３    後バリア
２０３ａ    球面形状部
２０３ｂ    ギア部
２０３ｄ    回動軸部
２０３ｅ    挿通孔部
２０３ｆ    駆動突起
２０４    前バリアケース
２０４ａ    開口部
２０５    バリアレバー
２０５ａ    ギア部
２０６    バリアピース
２０６ｃ    位置検出リブ
２０６ｆ    突起
２０７    バリアレバーバネ
２０８    フロントアングル
２０９    バリアモーターユニット
２０９ａ    モーター
２０９ｃ    位置検出センサ
２０９ｆ    駆動片
２１１    フロントケース固定ビス
２１２    フロントアングル固定ビス
３００    開口部
【図１】
2011118378.tif 000003
【図２】
2011118378.tif 000004
【図３】
2011118378.tif 000005
【図４】
2011118378.tif 000006
【図５】
2011118378.tif 000007
【図６】
2011118378.tif 000008
【図７】
2011118378.tif 000009
【図８】
2011118378.tif 000010
【図９】
2011118378.tif 000011
【図１０】
2011118378.tif 000012
【図１１】
2011118378.tif 000013
【図１２】
2011118378.tif 000014
【図１３】
2011118378.tif 000015
【図１４】
2011118378.tif 000016
【図１５】
2011118378.tif 000017
【図１６】
2011118378.tif 000018